(57)【要約】【課題】無線機器に余分なメモリを必要とすることなく、サーバへの接続前に接続先を選択することができる無線通信システムを提供する。【解決手段】サーバ１ａ，１ｂ，１ｃは、所定の時間間隔で、無線機器３の表示画面に表示される初期画面のデータを送信しており、無線機器３は、サーバ１ａ，１ｂ，１ｃに接続されるまでは受信待機状態にあって、チャンネルスキャンを行っている。サーバ１ａ，１ｂ，１ｃから送信された初期画面のデータが無線機器３で受信されると、無線機器３は受信したデータに基づいて表示画面３ａに初期画面を表示する。初期画面上で接続指示の操作が行われると、無線機器３は、当該初期画面に対応するサーバ１ａ，１ｂ，１ｃへ接続される。【選択図】図１
2010034758.tif 000002
【特許請求の範囲】
【請求項１】
サーバと、当該サーバとの間で無線通信を行う無線機器とを備え、
前記無線機器は、表示部および操作部を有し、
前記サーバは、前記無線機器の操作部により入力された入力情報を受信して、当該入力情報に応じたアプリケーションプログラムを実行するとともに、当該プログラムの実行結果に基づく画面データを生成し、生成した画面データを前記無線機器へ送信し、
前記無線機器は、前記サーバから受信した前記画面データに基づく画面を前記表示部に表示し、表示された画面上で前記操作部による入力を受け付ける、
無線通信システムにおいて、
前記サーバは、所定の時間間隔で、前記無線機器の表示部に表示される初期画面のデータを送信し、
前記無線機器は、前記サーバに接続されるまでは受信待機状態にあって、当該待機状態で前記初期画面のデータを受信すると、受信したデータに基づいて前記表示部に初期画面を表示することを特徴とする無線通信システム。
【請求項２】
請求項１に記載の無線通信システムにおいて、
前記サーバは、複数のサーバからなり、各サーバには周波数の異なるチャンネルがそれぞれ割り当てられており、
前記無線機器は、前記受信待機状態においてチャンネルをスキャンして、複数のサーバから送信されるそれぞれの初期画面データを順次受信し、前記表示部に初期画面を順次表示することを特徴とする無線通信システム。
【請求項３】
表示部および操作部を有し、サーバとの間で無線通信を行う無線機器であって、
操作部により入力された入力情報を前記サーバへ送信し、当該サーバにおいて前記入力情報に応じたアプリケーションプログラムが実行されることに基づいて生成される画面データを受信し、受信した画面データに基づく画面を前記表示部に表示し、表示された画面上で前記操作部による入力を受け付ける無線機器において、
前記サーバに接続されるまでは受信待機状態にあって、前記サーバから所定の時間間隔で送信される初期画面のデータを受信すると、受信したデータに基づいて前記表示部に初期画面を表示することを特徴とする無線機器。
【請求項４】
請求項３に記載の無線機器において、
前記受信待機状態で、各サーバに割り当てられた周波数の異なるチャンネルをスキャンして、複数のサーバから送信されるそれぞれの初期画面データを順次受信し、前記表示部に初期画面を順次表示することを特徴とする無線機器。
【請求項５】
請求項３または請求項４に記載の無線機器において、
前記表示部に表示された初期画面に対応するサーバへ接続することを指示するための第１の指示手段を備えていることを特徴とする無線機器。
【請求項６】
請求項５に記載の無線機器において、
前記第１の指示手段によりサーバへの接続が指示されない場合に、次のチャンネルのスキャンへ移行することを指示する第２の指示手段を備えていることを特徴とする無線機器。
【請求項７】
請求項４に記載の無線機器において、
前記チャンネルをスキャンした結果、受信できなかったチャンネルを記憶する記憶部を備え、
次回のチャンネルスキャン時に、前記記憶部に記憶されているチャンネルについては、当該チャンネルに対応するサーバからの初期画面データの受信をスキップして、次のチャンネルのスキャンを実行することを特徴とする無線機器。
【請求項８】
表示部および操作部を有する無線機器との間で無線通信を行い、前記無線機器の操作部により入力された入力情報を受信して、当該入力情報に応じたアプリケーションプログラムを実行するとともに、当該プログラムの実行結果に基づく画面データを生成し、生成した画面データを前記無線機器へ送信するサーバにおいて、
前記無線機器と接続される前の状態で、前記無線機器の表示部に表示される初期画面のデータを、所定の時間間隔で送信することを特徴とするサーバ。
【発明の詳細な説明】
【技術分野】
【０００１】
本発明は、サーバと、当該サーバとの間で無線通信を行う無線機器とからなる無線通信システムに関する。
【背景技術】
【０００２】
サーバと無線機器との間で通信を行うシステムとして、例えばＶＮＣ（Virtual Network Computing）を用いたシステムがある。このシステムでは、サーバが、無線機器の操作部により入力された入力情報を受信して、当該入力情報に応じたアプリケーションプログラムを実行するとともに、当該プログラムの実行結果に基づく画面データを生成し、生成した画面データを無線機器へ送信する。無線機器は、サーバから受信した画面データに基づく画面を表示部に表示し、表示された画面上で操作部による入力を受け付ける。後掲の特許文献１〜３には、上記のようなシステムが記載されている。
【０００３】
例えば、電子メールを例にとると、無線機器側でキーを操作して画面上で通常の文字入力等を行うことができるが、実際にメーラーを実行しているのはサーバであり、無線機器は入力されたキー情報をサーバへ送信しているだけである。サーバは、無線機器から受け取ったキー情報に基づき、機器の画面の大きさに合わせた画面イメージを生成し、これを無線機器へ送信する。したがって、無線機器に表示される画面は、無線機器が生成したものではなく、サーバが生成したものである。このため、無線機器は最小限、画面表示機能と、キー入力機能と、通信機能とが備わっておればよく、アプリケーションプログラムや、各種のデータ（画面データ、フォントデータ等）を搭載する必要がないので、コストを安くでき、かつ盗難等に対しても高いセキュリティ性を確保することができる。
【０００４】
また、後掲の特許文献４、５には、サーバから端末装置へ初期画面のデータを送信することが記載されている。特許文献４のシステムでは、端末装置がサーバへ接続を行うと、サーバは、各サーバに対応するデスクトップ画像情報、アプリケーション指示情報およびその初期画面の画像情報を端末装置へ送信する。端末装置において、一覧表示されたデスクトップ画像を選択しアプリケーションを選択すると、対応するサーバとの接続が行われ、サーバ上で機能するアプリケーションを使用できるようになる。特許文献５のシステムは、ＴＣＰ（Transmission Control Protocol）とＵＤＰ（User Datagram Protocol）とを切り替えてデータ通信を行う電子会議システムであって、端末装置からサーバへ接続要求を行い、サーバで画面の共有が許可されると、サーバから端末装置に対して初期画面データがＵＤＰで送信され、共有画面領域に更新がある度に画面データがＵＤＰで送信されるようになっている。
【０００５】
【特許文献１】特開２００３−３１６４９０号公報
【特許文献２】特開２００５−１２８２７９号公報
【特許文献３】特許第３２１０６０３号公報
【特許文献４】特開２００７−１２２４４９号公報
【特許文献５】特開２００５−３４８２６２号公報
【発明の開示】
【発明が解決しようとする課題】
【０００６】
従来の無線通信システムにおいて、例えば複数の事業者と契約している無線機器を利用する場合は、接続したい事業者を選択するための初期画面を無線機器が生成して表示部に表示し、当該画面において接続先を選択する必要がある。このため、無線機器に、初期画面やフォントのデータを格納するためのメモリが必要となり、コストを下げるのが難しくなるという問題がある。同様のことは、海外で契約事業者以外の事業者のシステムを使って通信ができるサービス、すなわちローミングを利用して接続を行う場合にも当てはまる。
【０００７】
なお、上記特許文献４、５のシステムにおいて表示される初期画面は、端末装置からサーバへ接続要求を行って、端末装置がサーバと接続された後に表示されるものである。したがって、サーバへ接続要求を行うための画面は端末装置において生成する必要があるので、これらの特許文献では上述した問題を解決することはできない。
【０００８】
本発明は、上述した問題点に鑑み、無線機器に余分なメモリを必要とすることなく、サーバへの接続前に接続先を選択することができる無線通信システムを提供することを目的としている。
【課題を解決するための手段】
【０００９】
本発明の前提となる無線通信システムは、サーバと、当該サーバとの間で無線通信を行う無線機器とを備えたシステムであって、無線機器は、表示部および操作部を有し、サーバは、無線機器の操作部により入力された入力情報を受信して、当該入力情報に応じたアプリケーションプログラムを実行するとともに、当該プログラムの実行結果に基づく画面データを生成し、生成した画面データを無線機器へ送信する。無線機器は、サーバから受信した画面データに基づく画面を表示部に表示し、表示された画面上で操作部による入力を受け付ける。
【００１０】
本発明は、上述したシステムにおいて、サーバが、所定の時間間隔で、無線機器の表示部に表示される初期画面のデータを送信し、無線機器は、サーバに接続されるまでは受信待機状態にあって、当該待機状態で初期画面のデータを受信すると、受信したデータに基づいて表示部に初期画面を表示することを特徴としている。
【００１１】
このようにすると、サーバが送信する初期画面を受信待機状態にある無線機器が受信したときに、無線機器の表示部にサーバで生成された初期画面が表示されるので、サーバへの接続前に接続先を選択することができるとともに、初期画面を無線機器側で生成する必要がないので、無線機器に、初期画面やフォントのデータを格納するためのメモリが不要となって、無線機器のコストを低減することができる。
【００１２】
本発明では、サーバが複数のサーバからなり、各サーバには周波数の異なるチャンネルがそれぞれ割り当てられており、無線機器は、受信待機状態においてチャンネルをスキャンして、複数のサーバから送信されるそれぞれの初期画面データを順次受信し、表示部に初期画面を順次表示するようにしてもよい。
【００１３】
これによると、各サーバから送信される初期画面が無線機器の表示部に順次表示されるので、接続先（事業者）が複数あっても、無線機器側で特別な操作をすることなく、初期画面を自動的に切り替えて表示することができる。
【００１４】
本発明において、無線機器は、表示部に表示された初期画面に対応するサーバへ接続することを指示するための第１の指示手段を備えていることが好ましい。
【００１５】
これによると、接続したい事業者の初期画面が表示されたときに、第１の指示手段により接続を指示することで、無線機器を所望のサーバへ確実に接続することができる。
【００１６】
本発明では、無線機器は、第１の指示手段によりサーバへの接続が指示されない場合に、次のチャンネルのスキャンへ移行することを指示する第２の指示手段を備えていてもよい。
【００１７】
これによると、表示された初期画面が接続したい事業者の初期画面でない場合は、接続したい事業者の初期画面が表示されるまで待つことなく、第２の指示手段により次のチャンネルのスキャンを実行することで、希望する初期画面が表示されるまでの時間を短縮することができる。
【００１８】
本発明では、無線機器は、チャンネルをスキャンした結果、受信できなかったチャンネルを記憶する記憶部を備え、次回のチャンネルスキャン時に、記憶部に記憶されているチャンネルについては、当該チャンネルに対応するサーバからの初期画面データの受信をスキップして、次のチャンネルのスキャンを実行するようにしてもよい。
【００１９】
これによると、受信できなかったチャンネルについては、次回から初期画面の受信が自動的にスキップされるので、希望する初期画面が表示されるまでの時間を短縮することができる。
【発明の効果】
【００２０】
本発明によれば、無線機器に余分なメモリを必要とすることなく、サーバへの接続前に接続先を選択することができる無線通信システムを提供することができる。
【発明を実施するための最良の形態】
【００２１】
以下、本発明の実施形態につき、図面を参照しながら説明する。
【００２２】
図１は、本発明の実施形態に係る無線通信システムの全体構成図である。１ａ，１ｂ，１ｃは、それぞれ通信事業を行う事業者Ａ，Ｂ，Ｃが運用するサーバ、２ａ，２ｂ，２ｃは、それぞれサーバ１ａ，１ｂ，１ｃと通信回線で接続された基地局、３は基地局２ａ，２ｂ，２ｃを介してサーバ１ａ，１ｂ，１ｃとの間で通信を行う無線機器である。無線機器３は、例えばＬＣＤ（Liquid Crystal Display）からなる表示画面３ａと、電源スイッチや操作キーからなる操作部３３とを備えている。サーバ１ａ，１ｂ，１ｃは、インターネット４にも接続されている。無線機器３は、サーバ１ａ，１ｂ，１ｃとの間で、例えば、固定無線通信の標準規格であるＷｉＭＡＸ（Worldwide Interoperability for Microwave Access）による通信を行う。
【００２３】
図１のシステムにおいて、無線機器３がサーバ１ａ，１ｂ，１ｃに接続されるまでの動作の概略は次の通りである。サーバ１ａ，１ｂ，１ｃは、所定の時間間隔で、無線機器３の表示画面３ａに表示される初期画面のデータを送信している。各サーバ１ａ，１ｂ，１ｃには、周波数の異なるチャンネルがそれぞれ割り当てられている。無線機器３は、サーバに接続されるまでは受信待機状態にあり、この待機状態においてチャンネルをスキャンし、サーバ１ａ，１ｂ，１ｃから送信されるそれぞれの初期画面を、基地局２ａ，２ｂ，２ｃを介して順次受信し、表示画面３ａに表示する。そして、操作部３３で所定の操作を行うことにより、無線機器３がサーバ１ａ，１ｂ，１ｃに接続される。以上の動作の詳細については、後述する。
【００２４】
無線機器３がサーバ１ａ，１ｂ，１ｃに接続された後の動作は、従来と同じである。すなわち、無線機器３は、操作部３３の操作キーを操作することにより生じるキー入力情報を、基地局２ａ，２ｂ，２ｃを介してサーバ１ａ，１ｂ，１ｃに送信する。サーバ１ａ，１ｂ，１ｃは、無線機器３から受信したキー入力情報に基づいて、当該入力情報に応じたアプリケーションプログラムを実行し、その実行結果に基づく画面データを生成する。生成された画面データは、基地局２ａ，２ｂ，２ｃを介して無線機器３へ送信される。無線機器３では、サーバ１ａ，１ｂ，１ｃから受信した画面データに基づいて、所定の画面を表示画面３ａに表示し、表示された画面上で操作部３３によるキー入力を受け付ける。これによりユーザは、あたかも無線機器３がアプリケーションプログラムを実行しているような感覚で、無線機器３を操作することができる。
【００２５】
図２は、サーバ１ａ，１ｂ，１ｃ（以下では、これらをまとめて符号１で示す）のハードウェア構成を示したブロック図である。サーバ１は、入力装置１１、表示部１２、メモリ１３、記憶装置１４、通信インタフェース１５、ＣＰＵ１６、および電源１７を備えている。入力装置１１は、ディスクドライブやキーボードなどから構成され、表示部１２は、ディスプレイやランプから構成される。メモリ１３は、ＲＡＭとＲＯＭから構成される。記憶装置１４は、ハードディスクから構成され、アプリケーションプログラム１４ａと、各種のファイル１４ｂと、初期画面データ１４ｃなどが格納されている。初期画面データ１４ｃは、メモリ１３に格納してもよい。通信インタフェース１５は、図１の基地局２ａ，２ｂ，２ｃ（以下では、これらをまとめて符号２で示す）を介して無線機器３と通信を行うためのインタフェースである。ＣＰＵ１６は、サーバ１の各部を統轄的に制御し、電源１７は、サーバ１の各部へ電源を供給する。
【００２６】
図３は、無線機器３のハードウェア構成を示したブロック図である。無線機器３は、アンテナ３１、無線通信部３２、操作部３３、表示部３４、ＲＡＭ３５、ＲＯＭ３６、ＣＰＵ３７、および電源３８を備えている。また、無線機器３が通話機能を持つ場合は、通話部３９が設けられる。通話部３９は、一般の携帯電話機に備わるようなマイクとスピーカ、およびその周辺回路から構成される。アンテナ３１および無線通信部３２は、基地局２を介してサーバ１から送信される画面データを受信するとともに、キー入力情報を基地局２を介してサーバ１へ送信する。操作部３３は、前述のように電源スイッチや操作キーから構成される。表示部３４は、ＬＣＤとその駆動回路などから構成される。ＲＡＭ３５は、無線通信部３２がサーバ１から受信した画面データを一時的に記憶する。ＲＯＭ３６には、ＣＰＵ３７を動作させるためのプログラムが格納されている。ＣＰＵ３７は、無線機器３の各部を統轄的に制御し、電源３８は、無線機器３の各部へ電源を供給する。
【００２７】
サーバ１は、アプリケーションプログラム１４ａの実行により生成された電話帳、通話履歴、メール受信履歴／送信履歴、作成中メールなどのファイルをファイル１４ｂに保存して管理する。無線機器３は、これらを保存・管理する手段を一切持たない。なお、アプリケーションプログラム１４ａは、画像再生用のものであってもよく、この場合は、ファイル１４ｂに保存されるデータは、画像データ、閲覧履歴データなどである。
【００２８】
次に、図１に示した無線通信システムにおいて、本発明の特徴である、無線機器３がサーバ１に接続されるまでの動作の詳細を、図４〜図７を参照しながら説明する。
【００２９】
図４は、サーバ１の動作を説明するためのタイムチャートである。サーバ１は、通常の通信と、本発明に係る初期画面の送信とを時分割多重方式で実行し、時間間隔Ｔで、無線機器３の表示画面３ａに表示される初期画面のデータを送信する。なお、ここでは時分割送信を例に挙げたが、これは一例であって、例えば周波数分割多重方式による送信でもよい。
【００３０】
図５は、本発明の第１実施形態における無線機器３の動作を説明するためのフローチャートである。操作部３３を操作して電源をＯＮすると、無線機器３は受信待機状態となる。この待機状態において、ステップＳ１で無線通信部３２がチャンネルスキャンを行う。すなわち、無線通信部３２の同調周波数を順次切り替えて、受信可能なチャンネルをサーチする。そして、ステップＳ２で、データが受信されたかどうかを判定し、無線通信部３２がデータを受信してなければ（ステップＳ２：ＮＯ）、ステップＳ１へ戻ってチャンネルスキャンを継続する。無線通信部３２がデータを受信すると（ステップＳ２：ＹＥＳ）、ステップＳ３へ進んで、サーバ１から送信された画面データをＲＡＭ３５に格納し、当該画面データに基づいて表示部３４の表示画面３ａに、例えば図６（ａ）のような初期画面を表示する。この初期画面は、例えば５秒間表示される。
【００３１】
次に、ステップＳ４で、サーバ１への接続指示が行われたかどうかを判定する。接続指示は、図６（ａ）の初期画面に表示された接続キー５を選択することにより行われる。接続キー５はアイコンとして表示されており、この選択操作は、操作部３３の操作キーのうち、接続キー５に対応する位置の操作キーを押すことにより行われる。接続キー５および操作部３３は、本発明における第１の指示手段の一実施形態である。接続キー５が選択されないまま５秒が経過すると、サーバ１への接続指示がなかったものと判断して（ステップＳ４：ＮＯ）、初期画面を消去してステップＳ１に戻り、次のチャンネルをスキャンする。そして、データが受信されると（ステップＳ２：ＹＥＳ）、例えば図６（ｂ）のような初期画面を５秒間表示し（ステップＳ３）、この間に接続キー５が選択されなければ（ステップＳ４：ＮＯ）、初期画面を消去してステップＳ１に戻り、更に次のチャンネルをスキャンする。そして、データが受信されると（ステップＳ２：ＹＥＳ）、例えば図６（ｃ）のような初期画面を５秒間表示し（ステップＳ３）、以後同様の動作が繰り返される。このようにして、複数のサーバ１から送信されるそれぞれの初期画面が、表示画面３ａに一定時間間隔で順次表示される。
【００３２】
ステップＳ４において、接続キー５が選択されてサーバ１への接続指示が行われると（ステップＳ４：ＹＥＳ）、ステップＳ５へ進み、無線通信部３２およびアンテナ３１を介して、無線機器３がサーバ１へ接続される。そして、ステップＳ６で無線機器３とサーバ１間の通信が開始される。これ以降の動作は、従来と同じである。通信が開始されると、無線機器３の表示画面３ａに、例えば図７に示すようなメニュー画面が表示される。この画面も、サーバ１が生成して無線機器３へ送信したものである。ユーザは、操作部３３の操作キーにより、メニュー画面に表示された項目キー６を選択することで、希望するアプリケーションを利用することができる。先述のように、これらのアプリケーションを実行するのはサーバ１である。サーバ１は、アプリケーションに応じた画面を生成して無線機器３へ送信する。無線機器３は、受信した画面を表示画面３ａに表示し、この画面上で操作部３３によるキー入力を受け付ける。
【００３３】
以上のように、上述した実施形態においては、サーバ１が送信する初期画面を受信待機状態にある無線機器３が受信したときに、無線機器３の表示画面３ａにサーバ１で生成された初期画面（図６）が表示されるので、サーバ１への接続前に接続先を選択することができる。また、初期画面を無線機器３側で生成する必要がないので、無線機器３に、初期画面やフォントのデータを格納するためのメモリが不要となって、無線機器のコストを低減することができる。例えば、図３の構成において、ＲＡＭ３５は最低限、画面１枚分のデータを記憶するＶＲＡＭ（Video Random Access Memory）であればよく、ＲＯＭ３６も最低限、無線通信部３２、操作部３３および表示部３４を制御するためのプログラムを格納したもので足りる。
【００３４】
また、各サーバ１から送信される初期画面が無線機器３の表示画面３ａに順次表示されるので、接続先（事業者）が複数あっても、無線機器３側で特別な操作をすることなく、初期画面を自動的に切り替えて表示することができる。さらに、サーバ１への接続を指示するための接続キー５が初期画面に表示されるので、接続したい事業者の初期画面が表示されたときに接続キー５を選択することにより、無線機器３を所望のサーバ１へ確実に接続することができる。
【００３５】
図８は、本発明の第２実施形態における無線機器３の動作を説明するためのフローチャートである。図８では、図５と同一処理を行うステップに、同一符号を付してある。ステップＳ１〜Ｓ６に関しては図５と同じであるので、説明は省略する。図５と異なる点は、ステップＳ４で接続指示がない場合に（ステップＳ４：ＮＯ）、ステップＳ４ａの処理が追加されている点である。ステップＳ４ａでは、次のスキャンが指示されたかどうかを判定する。次のスキャンの指示は、図９に示すような、初期画面中のＮＥＸＴキー７を選択することにより行われる。ＮＥＸＴキー７はアイコンとして表示されており、この選択操作は、操作部３３の操作キーのうち、ＮＥＸＴキー７に対応する位置の操作キーを押すことにより行われる。ＮＥＸＴキー７および操作部３３は、本発明における第２の指示手段の一実施形態である。
【００３６】
ＮＥＸＴキー７が選択されて次のスキャンが指示されると（ステップＳ４ａ：ＹＥＳ）、その時点でステップＳ１へ戻り、直ちに次のスキャンが開始される。したがって、表示された初期画面が接続したい事業者の初期画面でない場合は、接続したい事業者の初期画面が表示されるまで待つことなく、ＮＥＸＴキー７を選択して次のチャンネルのスキャンを実行することで、希望する初期画面が表示されるまでの時間を短縮することができる。
【００３７】
図１０は、本発明の第３実施形態における無線機器３の動作を説明するためのフローチャートである。図１０では、図５と同一処理を行うステップに、同一符号を付してある。ステップＳ１〜Ｓ６に関しては図５と同じであるので、説明は省略する。図５と異なる点は、ステップＳ１の後に、スキャンを行うチャンネルがメモリに記憶されたチャンネルかどうかを判定するステップＳ１ａが追加されている点、および、ステップＳ２で受信データがない場合に（ステップＳ２：ＮＯ）、受信無のチャンネルをメモリに記憶するステップＳ２ａが追加されている点である。この場合のメモリは、例えばＲＡＭ３５（図３）であって、本発明における記憶部の一実施形態である。
【００３８】
ステップＳ２ａでは、データを受信できなかったチャンネルをメモリに記憶する。そして、ステップＳ１でチャンネルスキャンを行う場合、チャンネルがメモリに記憶されているチャンネルであれば（ステップＳ１ａ：ＹＥＳ）、当該チャンネルに対応するサーバ１からの初期画面データの受信をスキップして、次のチャンネルのスキャンを実行する（ステップＳ１）。したがって、受信できなかったチャンネルについては、次回から初期画面の受信が自動的にスキップされるので、希望する初期画面が表示されるまでの時間を短縮することができる。
【００３９】
本発明では、以上述べた以外にも種々の実施形態を採用することができる。例えば、上記実施形態では、無線機器３とサーバ１との間でＷｉＭＡＸによる通信を行う例を挙げたが、本発明は、無線機器３の無線通信部３２の仕様をＷｉＭＡＸ以外の仕様に変更することにより、ＷｉＭＡＸ以外の通信方式にも適用することができる。
【００４０】
また、上記実施形態では、初期画面に表示される接続キー５やＮＥＸＴキー７の選択を操作部３３で行う例を挙げたが、表示部３４をタッチパネルで構成して、接続キー５やＮＥＸＴキー７を直接操作するようにしてもよい。
【００４１】
その他、本発明の実施形態として、例えば以下の（１）〜（４）のようなものが考えられる。
【００４２】
（１）図１１のように、１つの事業者のサーバが第１サーバ７１と第２サーバ７２とからなり、サーバ７１，７２間はインターネット４を介して接続され、第１サーバ７１と無線機器３とは専用回線で接続される。無線機器３は、第１サーバ７１を介して第２サーバ７２と接続され、第２サーバ７２がアプリケーションを実行するとともに画面を生成し、第１サーバ７１を介して無線機器３へ画面を送信する。この場合、無線機器３と第１サーバ７１間は専用回線であるため、セキュリティ性が確保されているが、第１サーバ７１と第２サーバ７２間はインターネット４を介するため、セキュリティ性を確保することができない。そこで、第１サーバ７１と第２サーバ７２間の通信を暗号通信とすることで、無線機器３における負荷を増大させずに、インターネット４を介してもセキュリティ性のある通信を行うことができる。なお、第２サーバ７２に代えて、ＰＣ（Personal Computer）８を用いてもよい。
【００４３】
（２）図１２のように、ユーザ認証用のデータが記録されている記録媒体９を用い、この記録媒体９を無線機器３のスロット３ｃに装着して、通信開始時にサーバ１との間でユーザ認証を行う。サーバ１は、無線機器３から送信された認証データに基づいて、保存しているファイルと無線機器３との対応付けを行い、無線機器３からファイルへのアクセスを許可する。なお、無線機器３が携帯電話機の場合は、記録媒体９をＳＩＭ（Subscriber Identification Module）と兼用することもできる。
【００４４】
（３）サーバ１から無線機器３へ送信する画面の一部が変化する場合、サーバ１は、画面データ（イメージデータ）の差分と表示位置とを送信し、無線機器３は受信した差分の画面を所定の位置に表示する。これにより、画面データのサイズが小さくて済み、通信量を低減することができる。
【００４５】
（４）無線機器３は、サーバ１との通信開始時に、表示画面３ａのサイズと画面データのデコード（解凍）機能の有無とを含む情報を、サーバ１に送信する。サーバ１は、当該情報に基づいて画面のサイズとエンコード（圧縮）の有無を決定し、画面データを生成する。表示画面３ａのサイズが大きいと、画面データのデータ量も大きくなり、表示するまでに時間がかかるが、あらかじめ表示画面に応じて圧縮した画面データを生成することで、通信量を減らして表示までの時間を短縮することができる。なお、エンコードするデータは、静止画に限らず動画であってもよい。
【図面の簡単な説明】
【００４６】
【図１】本発明の実施形態に係る無線通信システムの全体構成図である。
【図２】サーバのハードウェア構成を示したブロック図である。
【図３】無線機器のハードウェア構成を示したブロック図である。
【図４】サーバの動作を説明するためのタイムチャートである。
【図５】本発明の第１実施形態における無線機器の動作を説明するためのフローチャートである。
【図６】無線機器に表示される初期画面の例である。
【図７】無線機器に表示されるメニュー画面の例である。
【図８】本発明の第２実施形態における無線機器の動作を説明するためのフローチャートである。
【図９】無線機器に表示される初期画面の他の例である。
【図１０】本発明の第３実施形態における無線機器の動作を説明するためのフローチャートである。
【図１１】事業者のサーバが２つのサーバからなる場合のシステム構成図である。
【図１２】無線機器とこれに装着される記録媒体の外観図である。
【符号の説明】
【００４７】
１，１ａ，１ｂ，１ｃ  サーバ
２ａ，２ｂ，２ｃ  基地局
３    無線機器
３ａ  表示画面
４    インターネット
５    接続キー
６    項目キー
７    ＮＥＸＴキー
８    ＰＣ
１４  記憶装置
１４ａ  アプリケーションプログラム
１４ｃ  初期画面データ
３２  無線通信部
３３  操作部
３４  表示部
３５  ＲＡＭ
【図１】
2010034758.tif 000003
【図２】
2010034758.tif 000004
【図３】
2010034758.tif 000005
【図４】
2010034758.tif 000006
【図５】
2010034758.tif 000007
【図６】
2010034758.tif 000008
【図７】
2010034758.tif 000009
【図８】
2010034758.tif 000010
【図９】
2010034758.tif 000011
【図１０】
2010034758.tif 000012
【図１１】
2010034758.tif 000013
【図１２】
2010034758.tif 000014